(57)【要約】【課題】隣接する感光体間の間隔を保ちながら、感光体を、エンドレスベルトから離間することができる画像形成装置を提供すること。【解決手段】  前端部にブラックの感光体ドラム１６を備えるように複数の感光体ドラム１６を備えるプロセスフレーム１２を備え、プロセスフレーム１２を、ブラックの感光体ドラム１６の軸心を支点として、その後端部を上方に揺動させることにより、ブラック以外の感光体ドラム１６を、搬送ベルト２４から離間する。【選択図】図１９
2010107889.tif 000002
【特許請求の範囲】
【請求項１】
装置本体と、
複数の感光体ドラムを備え、前記装置本体に装着されるドラムホルダと、
各前記感光体ドラムと接触するエンドレスベルトとを備え、
前記感光体ドラムは、その軸方向と直交する方向に沿って並列配置され、
前記ドラムホルダは、
前記感光体ドラムの並列方向において、一方側端部に、黒色の画像を形成する前記感光体ドラムを備え、
その他方側端部が、黒色の画像を形成する前記感光体ドラムの軸心を支点として揺動自在に設けられており、
前記ドラムホルダが揺動したときには、黒色の画像を形成する前記感光体ドラム以外の前記感光体ドラムは、前記エンドレスベルトから離間することを特徴とする、画像形成装置。
【請求項２】
前記ドラムホルダは、前記感光体ドラムの並列方向に沿ってスライド可能に構成されていることを特徴とする、請求項１に記載の画像形成装置。
【請求項３】
前記ドラムホルダに対して、前記他方側には、前記ドラムホルダを揺動させて、黒色の画像を形成する前記感光体ドラム以外の前記感光体ドラムを、前記エンドレスベルトに対して接触または離間させる接離機構が設けられていることを特徴とする、請求項１または２に記載の画像形成装置。
【請求項４】
前記接離機構は、
前記ドラムホルダに設けられ、前記他方側端部において、前記感光体ドラムの軸方向外側に向かって突出する突出部と、
前記感光体ドラムの軸方向と直交する方向に揺動可能であり、前記突出部と当接する当接部材とを備えていることを特徴とする、請求項１ないし３のいずれかに記載の画像形成装置。
【請求項５】
各前記感光体ドラムが全てエンドレスベルトに接触しているときに、前記ドラムホルダの前記他方側端部に当接し、前記ドラムホルダを位置決めする位置決め部を備えることを特徴とする、請求項１ないし４のいずれかに記載の画像形成装置。
【請求項６】
前記感光体ドラムを被覆する筐体と、
前記筐体を押圧する押圧部材とを備え、
前記筐体には、前記感光体ドラムと中心軸線を共有する円弧部分が形成され、
前記押圧部材は、前記円弧部分を押圧することを特徴とする、請求項１ないし５のいずれかに記載の画像形成装置。
【請求項７】
前記筐体は、
前記筐体から前記感光体ドラムの軸線方向外側に向かって突出するとともに、前記感光体ドラムと間隔を隔てて配置されるストッパを備え、
前記ドラムホルダには、前記ストッパを受け入れ可能な溝部が形成され、
前記押圧部材は、前記感光体ドラムと前記ストッパとの間に向かって前記筐体を押圧することを特徴とする、請求項６に記載の画像形成装置。
【請求項８】
モノクロ画像を形成するモノクロモード、カラー画像を形成するカラーモードに対応して、各前記感光体ドラムに連結され、各前記感光体ドラムに駆動力を伝達または伝達解除する進退機構を備え、
前記進退機構は、各前記感光体ドラムに対応して、各前記感光体ドラムと軸心を共有するように、それぞれ連結される複数のカップリング部材を備え、
各前記カップリング部材は、前記エンドレスベルトから離間される前記感光体ドラムとの連結が解除されることを特徴とする、請求項１ないし７のいずれかに記載の画像形成装置。
【請求項９】
前記感光体ドラムを前記装置本体に対して着脱するドラム着脱モードをさらに有することを特徴とする、請求項８に記載の画像形成装置。
【請求項１０】
前記進退機構は、往復移動部材を備え、
前記往復移動部材は、
前記ドラム着脱モードに対応する第１位置と、
前記モノクロモードに対応する第２位置と、
前記カラーモードに対応する第３位置とに移動可能であることを特徴とする、請求項９に記載の画像形成装置。
【請求項１１】
前記往復移動部材が前記第１位置に配置されているときには、
前記往復移動部材は、全ての前記感光体ドラムと、全ての前記カップリング部材との連結を解除し、
前記接離機構は、全ての前記感光体ドラムを、前記エンドレスベルトに接触させ、
前記往復移動部材が前記第２位置に配置されているときには、
前記往復移動部材は、黒色の画像を形成する前記感光体ドラムと、対応する前記カップリング部材とを連結させ、残りの前記感光体ドラムと、対応する前記カップリング部材との連結を解除し、
前記接離機構は、黒色の画像を形成する前記感光体ドラムを、前記エンドレスベルトに接触させながら、残りの前記感光体ドラムを、前記エンドレスベルトから離間させ、
前記往復移動部材が前記第３位置に配置されているときには、
前記往復移動部材は、全ての前記感光体ドラムと、全ての前記カップリング部材とを連結させ、
前記接離機構は、全ての前記感光体ドラムを、前記エンドレスベルトに接触させることを特徴とする、請求項１０に記載の画像形成装置。
【請求項１２】
前記接離機構は、
前記感光体ドラムの軸方向と直交する方向に揺動可能であり、揺動することによって、前記感光体ドラムを前記エンドレスベルトから離間させる当接部材を備え、
前記往復移動部材は、
前記感光体ドラムの軸線方向に投影したときに、前記当接部材に向かって突出する凸部を備え、
前記当接部材は、
前記往復移動部材が前記第２位置に配置されているときには、前記凸部の頂点と当接され、
前記往復移動部材が前記第１位置または前記第３位置に配置されているときには、前記凸部の頂点との当接が解除されることを特徴とする、請求項１０または１１に記載の画像形成装置。
【発明の詳細な説明】
【技術分野】
【０００１】
本発明は、電子写真方式のカラープリンタなどの画像形成装置に関する。
【背景技術】
【０００２】
電子写真方式のカラープリンタなどの画像形成装置には、ブラック、イエロー、マゼンタ、シアンの４色に対応する感光体と搬送ベルトとが対向配置されている。
しかし、これらの感光体は、常時、搬送ベルトと接触しているため、例えば、ブラックのみの画像を形成する場合であっても、残りのイエロー、マゼンタ、シアンの感光体が劣化してしまうという不具合がある。
【０００３】
そこで、このような感光体の劣化を防止する画像形成装置として、たとえば、イエロー、マゼンタ、シアンの画像形成部を１つのカラー画像形成ユニットに、ブラックの画像形成部を１つのユニットに構成し、ブラックの画像を形成するときには、カラー画像形成ユニットを搬送ベルトから離間させるカラー画像記録装置が提案されている。（例えば、特許文献１参照。）。
【特許文献１】特開平９−２８１７７０号公報
【発明の開示】
【発明が解決しようとする課題】
【０００４】
しかるに、上記した特許文献１では、ブラックの画像形成部とカラー画像形成ユニットとを別々に動作させている。
そのため、動作時にブラックの画像形成部とカラー画像形成ユニットとの間の間隔が変動するおそれがあり、隣接する感光体間の間隔を維持することが困難である。
一方、カラープリンタにおいて、隣接する感光体間の間隔を維持することは、色ずれを防止する観点から極めて重要である。
【０００５】
そこで、本発明の目的は、隣接する感光体間の間隔を保ちながら、感光体を、エンドレスベルトから離間することができる画像形成装置を提供することにある。
【課題を解決するための手段】
【０００６】
上記目的を達成するため、請求項１に記載の発明は、画像形成装置であって、装置本体と、複数の感光体ドラムを備え、前記装置本体に装着されるドラムホルダと、各前記感光体ドラムと接触するエンドレスベルトとを備え、前記感光体ドラムは、その軸方向と直交する方向に沿って並列配置され、前記ドラムホルダは、前記感光体ドラムの並列方向において、一方側端部に、黒色の画像を形成する前記感光体ドラムを備え、その他方側端部が、黒色の画像を形成する前記感光体ドラムの軸心を支点として揺動自在に設けられており、前記ドラムホルダが揺動したときには、黒色の画像を形成する前記感光体ドラム以外の前記感光体ドラムは、前記エンドレスベルトから離間することを特徴としている。
【０００７】
また、請求項２に記載の発明は、請求項１に記載の発明において、前記ドラムホルダは、前記感光体ドラムの並列方向に沿ってスライド可能に構成されていることを特徴としている。
また、請求項３に記載の発明は、請求項１または２に記載の発明において、前記ドラムホルダに対して、前記他方側には、前記ドラムホルダを揺動させて、黒色の画像を形成する前記感光体ドラム以外の前記感光体ドラムを、前記エンドレスベルトに対して接触または離間させる接離機構が設けられていることを特徴としている。
【０００８】
また、請求項４に記載の発明は、請求項１ないし３のいずれかに記載の発明において、前記接離機構は、前記ドラムホルダに設けられ、前記他方側端部において、前記感光体ドラムの軸方向外側に向かって突出する突出部と、前記感光体ドラムの軸方向と直交する方向に揺動可能であり、前記突出部と当接する当接部材とを備えていることを特徴としている。
【０００９】
また、請求項５に記載の発明は、請求項１ないし４のいずれかに記載の発明において、各前記感光体ドラムが全てエンドレスベルトに接触しているときに、前記ドラムホルダの前記他方側端部に当接し、前記ドラムホルダを位置決めする位置決め部を備えることを特徴としている。
また、請求項６に記載の発明は、請求項１ないし５のいずれかに記載の発明において、前記感光体ドラムを被覆する筐体と、前記筐体を押圧する押圧部材とを備え、前記筐体には、前記感光体ドラムと中心軸線を共有する円弧部分が形成され、前記押圧部材は、前記円弧部分を押圧することを特徴としている。
【００１０】
また、請求項７に記載の発明は、請求項６に記載の発明において、前記筐体は、前記筐体から前記感光体ドラムの軸線方向外側に向かって突出するとともに、前記感光体ドラムと間隔を隔てて配置されるストッパを備え、前記ドラムホルダには、前記ストッパを受け入れ可能な溝部が形成され、前記押圧部材は、前記感光体ドラムと前記ストッパとの間に向かって前記筐体を押圧することを特徴としている。
【００１１】
また、請求項８に記載の発明は、請求項１ないし７のいずれかに記載の発明において、モノクロ画像を形成するモノクロモード、カラー画像を形成するカラーモードに対応して、各前記感光体ドラムに連結され、各前記感光体ドラムに駆動力を伝達または伝達解除する進退機構を備え、前記進退機構は、各前記感光体ドラムに対応して、各前記感光体ドラムと軸心を共有するように、それぞれ連結される複数のカップリング部材を備え、各前記カップリング部材は、前記エンドレスベルトから離間される前記感光体ドラムとの連結が解除されることを特徴としている。
【００１２】
また、請求項９に記載の発明は、請求項８に記載の発明において、前記感光体ドラムを前記装置本体に対して着脱するドラム着脱モードをさらに有することを特徴としている。
また、請求項１０に記載の発明は、請求項９に記載の発明において、前記進退機構は、往復移動部材を備え、前記往復移動部材は、前記ドラム着脱モードに対応する第１位置と、前記モノクロモードに対応する第２位置と、前記カラーモードに対応する第３位置とに移動可能であることを特徴としている。
【００１３】
また、請求項１１に記載の発明は、請求項１０に記載の発明において、前記往復移動部材が前記第１位置に配置されているときには、前記往復移動部材は、全ての前記感光体ドラムと、全ての前記カップリング部材との連結を解除し、前記接離機構は、全ての前記感光体ドラムを、前記エンドレスベルトに接触させ、前記往復移動部材が前記第２位置に配置されているときには、前記往復移動部材は、黒色の画像を形成する前記感光体ドラムと、対応する前記カップリング部材とを連結させ、残りの前記感光体ドラムと、対応する前記カップリング部材との連結を解除し、前記接離機構は、黒色の画像を形成する前記感光体ドラムを、前記エンドレスベルトに接触させながら、残りの前記感光体ドラムを、前記エンドレスベルトから離間させ、前記往復移動部材が前記第３位置に配置されているときには、前記往復移動部材は、全ての前記感光体ドラムと、全ての前記カップリング部材とを連結させ、前記接離機構は、全ての前記感光体ドラムを、前記エンドレスベルトに接触させることを特徴としている。
【００１４】
また、請求項１２に記載の発明は、請求項１０または１１に記載の発明において、前記接離機構は、前記感光体ドラムの軸方向と直交する方向に揺動可能であり、揺動することによって、前記感光体ドラムを前記エンドレスベルトから離間させる当接部材を備え、前記往復移動部材は、前記感光体ドラムの軸線方向に投影したときに、前記当接部材に向かって突出する凸部を備え、前記当接部材は、前記往復移動部材が前記第２位置に配置されているときには、前記凸部の頂点と当接され、前記往復移動部材が前記第１位置または前記第３位置に配置されているときには、前記凸部の頂点との当接が解除されることを特徴としている。
【発明の効果】
【００１５】
請求項１に記載の発明によれば、一方側端部に黒色の画像を形成する感光体ドラムを備えるドラムホルダを、黒色の画像を形成する感光体ドラムの軸心を支点として、その他方側端部を揺動させることにより、黒色の画像を形成する感光体ドラム以外の感光体ドラムを、エンドレスベルトから離間することができる。
そのため、ドラムホルダに備えられる黒色の画像を形成する感光体ドラム以外の感光体ドラムを、全ての感光体ドラムの相対配置を維持しながら、一体的に離間することができる。
【００１６】
その結果、隣接する感光体ドラムとの間の間隔を保ちながら、黒色の画像を形成する感光体ドラム以外の感光体ドラムを、エンドレスベルトから離間することができる。
従って、感光体ドラムの劣化を適切に防止することができつつ、精度のよい画像形成を確保することができる。
また、請求項２に記載の発明によれば、感光体ドラムの並列方向に沿って、ドラムホルダをスライドさせることができる。
【００１７】
そのため、複数の感光体ドラムを一体的に操作することができる。
また、請求項３に記載の発明によれば、ドラムホルダに対して、他方側に、ドラムホルダを揺動させる接離機構が設けられている。
そのため、ドラムホルダの他方側端部に容易に接離機構を作用させることができる。
その結果、ドラムホルダを容易に揺動させることができる。
【００１８】
また、請求項４に記載の発明によれば、感光体ドラムの軸方向と直交する方向に揺動可能な当接部材が、ドラムホルダの他方側端部において、感光体ドラムの軸方向外側に向かって突出する突出部に、当接し、揺動することにより、ドラムホルダを揺動させることができる。
そのため、簡易な接離機構でドラムホルダを揺動させることができる。
【００１９】
また、請求項５に記載の発明によれば、各感光体ドラムが全てエンドレスベルトに接触しているときには、ドラムホルダの他方側端部は、位置決め部に当接する。これにより、ドラムホルダは、エンドレスベルトに対して、位置決めされる。
その結果、各感光体ドラムがエンドレスベルトに対して位置決めされ、各感光体ドラムとエンドレスベルトとの確実かつ適切な接触を確保することができる。
【００２０】
また、請求項６に記載の発明によれば、押圧部材は、感光体ドラムを被覆する筐体の円弧部分を押圧する。そして、円弧部分は、感光体ドラムと中心軸線を共有する。
そのため、押圧部材が円弧部分を押圧すると、その中心軸線に向かう押圧力は、常に感光体ドラムへと作用する。
その結果、ドラムホルダを揺動させることによって、押圧部材と円弧部分とが当接する位置が変動したとしても、押圧力を常に感光体ドラムに向かって作用させることができる。
【００２１】
また、請求項７に記載の発明によれば、押圧部材は、感光体ドラムと、感光体ドラムと間隔を隔てて配置されるストッパとの間に向かって筐体を押圧する。
そのため、押圧部材は、感光体ドラムとストッパとの両方に押圧力を作用させることができる。
その結果、ドラムホルダを揺動させたときにも、常に感光体ドラムを位置固定することができる。
【００２２】
また、請求項８に記載の発明によれば、各カップリング部材は、各感光体ドラムに対応して各感光体ドラムと軸心を共有するように、それぞれ連結されている。
そのため、感光体ドラムには、軸心を共有するカップリング部材によって、駆動力が入力される。
その結果、カップリング部材から感光体ドラムへ精度よく駆動力を伝達することができる。
【００２３】
また、対応する感光体ドラムがエンドレスベルトから離間されるときには、その連結が解除される。
そのため、感光体ドラムとカップリング部材との連結が解除されたときには、カップリング部材が駆動している状態であっても、エンドレスベルトから離間される感光体ドラムを停止させることができる。
【００２４】
その結果、感光体ドラムとカップリング部材とを連結または連結解除するという簡単な構成で、進退機構を備えることができる
また、請求項９に記載の発明によれば、感光体ドラムを装置本体に対して着脱するドラム着脱モードをさらに有する。
そのため、画像を形成するモードとは別のドラム着脱モードにおいて、感光体ドラムを着脱することができる。
【００２５】
その結果、画像形成動作が停止された状態で、感光体ドラムを着脱することができる。
また、請求項１０に記載の発明によれば、進退機構に備えられる往復移動部材は、ドラム着脱モードに対応する第１位置と、モノクロモードに対応する第２位置と、カラーモードに対応する第３位置とにスライドする。
そのため、往復移動部材をスライドするという簡易な動作により、各モードを切り替えることができる。
【００２６】
また、請求項１１に記載の発明によれば、往復移動部材を第１位置に配置させることにより、全ての感光体ドラムと全てのカップリング部材との連結を解除させるとともに、全ての感光体ドラムがエンドレスベルトに接触させることができる。
これにより、全ての感光体ドラムが停止された状態で、感光体ドラムを着脱することができる。
【００２７】
また、往復移動部材を第２位置に配置させることにより、黒色の画像を形成する感光体ドラムと、対応するカップリング部材とを連結させ、残りの感光体ドラムと、対応するカップリング部材との連結を解除させるとともに、黒色の画像を形成する感光体ドラムを、エンドレスベルトに接触させながら、残りの感光体ドラムを、エンドレスベルトから離間させることができる。
【００２８】
これにより、エンドレスベルトに接触される感光体ドラムを画像形成可能にしながら、エンドレスベルトから離間される残りの感光体ドラムを停止させることができる。
また、往復移動部材を第３位置に配置させることにより、全ての感光体ドラムと全てのカップリング部材とを連結させながら、全ての感光体ドラムを、エンドレスベルトに接触させることができる。
【００２９】
これにより、全ての感光体ドラムを画像形成可能にすることができる。
すなわち、往復移動部材は、第１位置、第２位置または第３位置のいずれかに配置されることにより、往復移動部材による各感光体ドラムと各カップリング部材との連結または連結解除と、接離機構による各感光体ドラムとエンドレスベルトとの接触または離間とを連動させることができる。
【００３０】
その結果、往復移動部材は、簡易な構成で、進退機構と接離機構とを連動させることができる。
また、請求項１２に記載の発明によれば、往復移動部材が第１位置に配置されると、当接部材と凸部の頂点との当接が解除される。そのため、当接部材は、感光体ドラムの軸方向と直交する方向に揺動されない。その結果、感光体ドラムは、エンドレスベルトから離間されない。
【００３１】
そして、往復移動部材が第２位置に配置されると、当接部材は、凸部の頂点と当接する。そのため、当接部材は、凸部の頂点からの応力を受け、感光体ドラムの軸方向と直交する方向に揺動する。すると、感光体ドラムは、エンドレスベルトから離間される。
そして、往復移動部材が第３位置に配置されると、上記第１位置の場合と同様に、当接部材と凸部の頂点との当接が解除される。そのため、当接部材は感光体ドラムの軸方向と直交する方向に揺動されない。その結果、感光体ドラムは、エンドレスベルトから離間されない。
【００３２】
すなわち、往復移動部材が第１位置、第２位置または第３位置のいずれかに配置されることにより、当接部材と、往復移動部材の凸部の頂点とが当接または当接解除され、当接部材と、凸部の頂点とが当接すると当接部材が揺動する。
そして、当接部材が揺動したときのみ、感光体ドラムをエンドレスベルトから離間させることができる。
【００３３】
その結果、往復移動部材の配置に応じて、感光体ドラムをエンドレスベルトに対して接触または離間させることができる。
【発明を実施するための最良の形態】
【００３４】
１．カラーレーザプリンタの全体構成
図１は、本発明の画像形成装置の一例としてのカラーレーザプリンタの一実施形態を示す側断面図である。
このカラーレーザプリンタ１は、横置きタイプのタンデム型カラーレーザプリンタであって、装置本体の一例としての本体ケーシング２内に、用紙Ｐを給紙するための給紙部３と、給紙された用紙Ｐに画像を形成するための画像形成部４とを備えている。
（１）本体ケーシング
本体ケーシング２は、画像形成部４を収容する側面視略矩形状のボックス状に形成されており、その一方側壁には、後述するプロセスフレーム１２を着脱させるためのフロントカバー５が設けられている。
【００３５】
なお、以下の説明において、フロントカバー５が設けられる側（図１における右側）を前側とし、その反対側（図１における左側）を後側とする。また、カラーレーザプリンタ１を前側から見たときを左右の基準とする。すなわち、図１の紙面手前側が左側であり、紙面奥側が右側である。
（２）給紙部
給紙部３は、用紙Ｐを収容する給紙トレイ６を備えている。給紙トレイ６は、本体ケーシング２内の底部に着脱自在に装着されている。給紙トレイ６の前端部上方には、給紙ローラ７と、Ｕターンパスからなる給紙パス（図示せず）とが配置されている。
【００３６】
給紙ローラ７の回転により、給紙トレイ６に収容されている用紙Ｐが給紙パス（図示せず）に向けて１枚ずつ給紙される。その後、用紙Ｐは、給紙パス（図示せず）から、画像形成部４（感光体ドラム１６（後述）と搬送ベルト２４（後述）との間）に向けて搬送される。
（３）画像形成部
画像形成部４は、スキャナ部８、プロセス部９、転写部１０、および定着部１１を備えている。
（３−１）スキャナ部
スキャナ部８は、本体ケーシング２の上部に配置されている。スキャナ部８は、鎖線で示すように、４つの感光体ドラム１６（後述）に向けて、画像データに基づくレーザビームをそれぞれ出射し、感光体ドラム１６（後述）を露光する。
（３−２）プロセス部
プロセス部９は、スキャナ部８の下方であって、給紙部３の上方に配置されており、感光体ユニットの一例としての１つのプロセスフレーム１２と、各色に対応する４つのプロセスユニット１３とを備えている。なお、プロセスフレーム１２は、ドラムホルダの一例としても機能する。
【００３７】
プロセスフレーム１２は、本体ケーシング２に対して、前後方向に沿ってスライド可能であり、着脱自在に設けられている。
プロセスユニット１３は、前後方向に沿って並列配置されるように、プロセスフレーム１２に組み付けられている。具体的には、前側から後側に向かって、ブラックプロセスユニット１３Ｋ、イエロープロセスユニット１３Ｙ、マゼンタプロセスユニット１３Ｍおよびシアンプロセスユニット１３Ｃが、順次配置されている。
（３−２−１）プロセスユニット
各プロセスユニット１３は、それぞれ、ドラムユニット１４および現像カートリッジ１５を備えている。
【００３８】
ドラムユニット１４は、感光体の一例としての感光体ドラム１６、スコロトロン型帯電器１７およびクリーニングブレード１８を備えている。
感光体ドラム１６は、左右方向に沿って配置されている。
スコロトロン型帯電器１７は、感光体ドラム１６の斜め後側上方に、感光体ドラム１６と間隔を隔てて対向配置されている。
【００３９】
クリーニングブレード１８は、感光体ドラム１６の後方において、感光体ドラム１６と対向して接触するように配置されている。
現像カートリッジ１５は、ドラムユニット１４の前側に配置され、供給ローラ１９、現像剤担持体の一例としての現像ローラ２０および層厚規制ブレード２１を備えている。
現像ローラ２０は、感光体ドラム１６に対して前側から接触するように配置されている。供給ローラ１９は、現像ローラ２０の前側に配置され、層厚規制ブレード２１は、現像ローラ２０の上側に配置されており、それらの上方の空間には、各色に対応するトナーが収容されている。
（３−２−２）プロセスユニットでの現像動作
現像カートリッジ１５内のトナーは、供給ローラ１９に供給され、さらに、現像ローラ２０に供給され、供給ローラ１９と現像ローラ２０との間で正極性に摩擦帯電される。
【００４０】
現像ローラ２０に供給されたトナーは、現像ローラ２０の回転に伴って、層厚規制ブレード２１によって厚さが規制され、一定厚さの薄層として現像ローラ２０の表面に担持される。
一方、感光体ドラム１６の表面は、感光体ドラム１６の回転に伴って、スコロトロン型帯電器１７により一様に正帯電された後、ドラムユニット１４と現像カートリッジ１５との間を通過するスキャナ部８からのレーザビーム（図１破線参照。）の高速走査により露光される。これにより、用紙Ｐに形成すべき画像に対応した静電潜像が感光体ドラム１６の表面に形成される。
【００４１】
感光体ドラム１６がさらに回転すると、現像ローラ２０の表面に担持され、かつ、正帯電されているトナーが、感光体ドラム１６の表面に形成されている静電潜像に供給される。これにより、感光体ドラム１６の静電潜像は可視像化され、感光体ドラム１６の表面には、反転現像によるトナー像が担持される。
（３−３）転写部
転写部１０は、本体ケーシング２内において、給紙部３の上方であって、プロセス部９の下方において、前後方向に沿って配置されている。この転写部１０は、駆動ローラ２２、従動ローラ２３、搬送ベルト２４および転写ローラ２５を備えている。
【００４２】
駆動ローラ２２および従動ローラ２３は、前後方向に間隔を隔てて対向配置されており、それらの周りに搬送ベルト２４が巻回されている。
転写ローラ２５は、各感光体ドラム１６と、搬送ベルト２４を挟んで対向するように、それぞれ設けられている。
そして、給紙部３から給紙された用紙Ｐは、搬送ベルト２４によって、前側から後側に向かって、各感光体ドラム１６と各転写ローラ２５とが対向する転写位置を順次通過するように搬送される。その搬送中に、各感光体ドラム１６に担持されている各色のトナー像が、用紙Ｐに順次転写され、カラー画像が形成される。
（３−４）定着部
定着部１１は、転写部１０の後方に配置され、加熱ローラ２６、および加熱ローラ２６に対向する加圧ローラ２７を備えている。転写部１０において、用紙Ｐに転写されたカラー画像は、用紙Ｐが加熱ローラ２６と加圧ローラ２７との間を通過する間に、加熱および加圧されることによって用紙Ｐに熱定着される。
（４）排紙
トナー像が定着した用紙Ｐは、Ｕターンパスからなる排紙パス（図示せず）を通過して、排紙ローラ２８に向けて搬送され、排紙ローラ２８によって、本体ケーシング２の上面に形成された排紙トレイ２９上に排紙される。
２．プロセス部の詳細
図２は、図１に示されるプロセスフレームの斜視図である。図３は、図２に示されるプロセスフレームの分解斜視図である。図４は、プロセスフレームにカラーのドラムユニットが装着された状態を示す斜視図である。図５は、図４に示されるプロセスフレームにブラックのプロセスカートリッジが装着される状態を示す斜視図である。図６は、ブラックのプロセスカートリッジの位置決めを説明する説明図である。
（１）プロセスユニットの詳細
プロセスユニット１３は、図２および図３に示し、上述したように、左右方向において間隔を隔てて対向配置される１対のユニット側壁３１、両ユニット側壁３１の間に架設されるドラムユニット１４、および、ユニット側壁３１に着脱自在に支持される現像カートリッジ１５を備えている。
【００４３】
両ユニット側壁３１（以下、ユニット側壁３１について、左右方向における配置に言及する時には、左側のユニット側壁３１を左側ユニット側壁３１Ｌ、右側のユニット側壁３１を右側ユニット側壁３１Ｒとする。）は、左右方向に厚みを有する側面視矩形状の平板である。また、両ユニット側壁３１には、その左右方向内面において、現像カートリッジ１５の左右方向両端部を受け入れ可能な現像ガイド溝３２が形成され、その左右方向外面において、ストッパ３３が設けられ、その上端縁において、円弧部分の一例としての突条３４が設けられている。
【００４４】
現像ガイド溝３２は、両ユニット側壁３１の前端部において、両ユニット側壁３１の上端縁から下端部近傍にわたって側面視略矩形状に切り欠かれている。
ストッパ３３は、両ユニット側壁３１の左右方向外面から左右方向外側に向かって突出する円柱形状のリブであり、両ユニット側壁３１の前端部において、上下方向略中央に配置されている。
【００４５】
突条３４は、両ユニット側壁３１の上端縁から上側に向かって延びる平板であり、感光体ドラム１６と中心軸線を共有する側面視円弧形状に形成されている。また、突条３４は、両ユニット側壁３１の後端部から中央部にわたって形成されている。
また、左側ユニット側壁３１Ｌには、後端部の下側において、感光体ドラム１６に本体ケーシング２からの駆動力を入力するためのドラムカップリング部３５が設けられている。また、左側ユニット側壁３１Ｌには、前端部の上側において、現像カップリング部（後述）を受け入れ可能な現像カップリング支持溝３６が形成されている。
【００４６】
ドラムカップリング部３５は、ドラムカップリングカバー３８と、ドラムカップリングカバー３８によって回転自在に支持されるドラムカップリング雌部材３７とを備えている。
ドラムカップリングカバー３８は、左側ユニット側壁３１Ｌの左面から左方に向かって突出する円筒状に形成されている。
【００４７】
ドラムカップリング雌部材３７は、感光体ドラム１６の左端部に相対回転不能に連結されている。
現像カップリング支持溝３６は、左方から右方に向かって投影したときに現像ガイド溝３２と重なる位置において、左側ユニット側壁３１Ｌの上端縁から下方に向かって切欠かれる、上方が開放された側面視Ｕ字状に形成されている。
【００４８】
また、右側ユニット側壁３１Ｒには、感光体ドラム１６の右端部を相対回転可能に支持するドラム支持部材（図示せず）が設けられている。ドラム支持部材（図示せず）は、ドラムカップリングカバー３８と同一の円筒状をなし、右側ユニット側壁３１Ｒの右面から右側に向かって突出している。
また、右側ユニット側壁３１Ｒには、複数の電極３９が配置されている。各電極３９には、プロセスユニット１３への給電のために、本体ケーシング２内に設けられた本体側電極（図示せず）が接続される。
【００４９】
ドラムユニット１４は、感光体ドラム１６と、スコロトロン型帯電器１７と、クリーニングブレード１８と、それらを収容するドラム仕切壁４１とを備えている。
感光体ドラム１６は、両ユニット側壁３１の間において、回転自在に支持されている。
スコロトロン型帯電器１７は、感光体ドラム１６の斜め後側上方において、両ユニット側壁３１の間に架設されている（図１参照）。
【００５０】
クリーニングブレード１８は、感光体ドラム１６の後方において、両ユニット側壁３１の間に架設されている（図１参照）。
ドラム仕切壁４１は、下方が開放される筒状をなし、両ユニット側壁３１の間に架設され、両ユニット側壁３１と一体的に形成されている。これにより、両ユニット側壁３１とドラム仕切壁４１とは感光体ドラム１６を被覆する筐体の一例を構成する。
【００５１】
また、ドラムユニット１４の上面には、ユニット把持部４０が一体的に形成されている。
現像カートリッジ１５は、供給ローラ１９と、現像ローラ２０と、それらを収容する現像フレーム４２とを備えている。
供給ローラ１９および現像ローラ２０は、現像フレーム４２の下端部において、供給ローラ１９が前側、現像ローラ２０が後側となるように隣接配置され、現像フレーム４２に回転自在に支持されている（図１参照）。
【００５２】
現像フレーム４２は、左右方向に延び、現像ローラ２０が対向する後側下端部が開放されるボックス形状に形成されている。
また、現像フレーム４２の左端部には、上下方向中央部において、供給ローラ１９および現像ローラ２０に本体ケーシング２からの駆動力を入力するための現像カップリング部４３が設けられている。
【００５３】
現像カップリング部４３は、現像カップリングカバー４５と、現像カップリングカバー４５によって回転自在に支持される現像カップリング雌部材４４とを備えている。
現像カップリングカバー４５は、現像フレーム４２の左端面から左方に向かって突出する円筒状に形成されている。
現像カップリング雌部材４４は、供給ローラ１９および現像ローラ２０を駆動するギヤ部（図示せず）に連結されている。
【００５４】
現像カートリッジ１５をドラムユニット１４に装着するには、現像ローラ２０が下方に配置され、現像カップリング部４３が左方に配置されるように、現像フレーム４２の上側を把持し、現像カートリッジ１５の左右方向両端部が、両ユニット側壁３１の現像ガイド溝３２にそれぞれ嵌合するように、かつ、現像カップリング部４３が、現像カップリング支持溝３６に嵌合するように、位置を合わせて、上方から現像カートリッジ１５をドラムユニット１４へ挿入する。
【００５５】
すると、現像カートリッジ１５の左右方向両端部が、現像ガイド溝３２に嵌合し、下方に向かって案内される。
そして、現像カートリッジ１５の左右方向両端部の下端縁が、現像ガイド溝３２の下端縁に当接し、現像カップリング部４３が、現像カップリング支持溝３６に嵌合される。
これにより、現像カートリッジ１５のドラムユニット１４への装着が完了される。
（２）プロセスフレームの詳細
プロセスフレーム１２は、４つのプロセスユニット１３を下方から一括して支持するユニット支持枠５１と、ユニット支持枠５１の左右方向両側に設けられた１対の側板５２とを備えている。
【００５６】
ユニット支持枠５１は、４つのプロセスユニット１３の周囲を取り囲むように、枠状に形成されており、左右１対のフレーム側壁５３、フロントビーム５４およびリヤビーム５５を一体的に備えている。
また、ユニット支持枠５１は、フロントビーム５４とリヤビーム５５との間において、両フレーム側壁５３間に架設されるブラック仕切り板６１を備えている。
【００５７】
ブラック仕切り板６１は、ブラックプロセスユニット１３Ｋに対応するブラック装着部６２と、ブラック装着部６２の後方においてブラック以外の３つのプロセスユニット１３に対応するカラー装着部６３とを仕切っている。
すなわち、ブラック装着部６２は、両フレーム側壁５３、フロントビーム５４およびブラック仕切り板６１によって区画されており、カラー装着部６３は、両フレーム側壁５３、リヤビーム５５およびブラック仕切り板６１によって区画されている。
【００５８】
また、両フレーム側壁５３間には、カラー装着部６３に対応する部分において、２枚の仕切り板５９が架設されている。各仕切り板５９は、左右方向および上下方向に延び、その左右方向両端部は、両フレーム側壁５３において、互いに隣り合うドラム支持溝５６間に接続されている。
そして、ブラック仕切り板６１および各仕切り板５９によって、フロントビーム５４、リヤビーム５５および左右１対の両フレーム側壁５３に囲まれる空間は、前後方向に略４等分されている。
【００５９】
なお、ユニット側壁３１、現像ガイド溝３２およびブラック仕切り板６１は、各仕切り板５９よりも上方に長く形成されている。
両フレーム側壁５３（以下、フレーム側壁５３について、左右方向における配置に言及する時には、左側のフレーム側壁５３を左側フレーム側壁５３Ｌ、右側のフレーム側壁５３を右側フレーム側壁５３Ｒとする。）は、左右方向において間隔を隔てて、対向配置されている。
【００６０】
両フレーム側壁５３には、各プロセスユニット１３のドラムカップリング部３５またはドラム支持部材（図示せず）に対応する位置において、上方が開放された側面視略Ｕ字状のドラム支持溝５６が、４つ、前後方向に略等間隔で形成されている。
左側フレーム側壁５３Ｌのドラム支持溝５６は、ドラムカップリングカバー３８を受け入れ可能に形成されている。また、右側フレーム側壁５３Ｒのドラム支持溝５６は、ドラム支持部材（図示せず）を受け入れ可能に形成されている。
【００６１】
また、両フレーム側壁５３におけるブラック装着部６２に対応する部分には、ドラム支持溝５６の前方において、ブラックプロセスユニット１３Ｋのストッパ３３に対応する位置に、ストッパ支持溝６４が形成されている。ストッパ支持溝６４は、上方が開放された側面視Ｕ字状に形成されており、ストッパ３３を受け入れる。
また、両フレーム側壁５３の下端縁には、左右方向内方に向かって突出するユニット支持レール６５が前後方向すべてにわたって形成されている。
【００６２】
ユニット支持レール６５は、プロセスユニット１３をプロセスフレーム１２に装着したときに、プロセスユニット１３のユニット側壁３１と当接するように形成されている。
フロントビーム５４は、左右方向に延びる側断面視略Ｕ字状に形成され、両フレーム側壁５３の前端部間に架設されている。また、フロントビーム５４の前面には、第１フレーム把持部５７が一体的に形成されている。
【００６３】
リヤビーム５５は、左右方向に延びる側断面視略Ｕ字状に形成され、両フレーム側壁５３の後端部間に架設されている。また、リヤビーム５５の前側上面には、第２フレーム把持部５８が一体的に形成されている。
両側板５２（以下、側板５２について、左右方向における配置に言及する時には、左側の側板５２を左側側板５２Ｌ、右側の側板５２を右側側板５２Ｒとする。）は、金属板を打ち抜き加工およびプレス加工することにより形成されている。両側板５２は、前後方向に延びる側面視略矩形状をなし、その前端部および後端部は、それぞれフロントビーム５４およびリヤビーム５５と左右方向において対向している。
【００６４】
また、両側板５２は、上下方向途中において、正面視略クランク形状に屈曲しており、その上部は、その下部よりも左右方向外側に配置されている。詳しくは、両側板５２の上部は、上方から下方に向かって投影したときに、プロセスユニット１３のドラムカップリング部３５およびドラム支持部材（図示せず）の左右方向端部よりも左右方向外側に配置されている。
【００６５】
両側板５２には、そのブラック装着部６２に対応する部分の下部において、フレーム側壁５３のドラム支持溝５６と対向する位置に、上方が開放された側面視Ｕ字状のブラック支持穴７１が形成されている。なお、ブラック支持穴７１は、両側板５２の下部から屈曲部にわたって形成されている。
また、ブラック支持穴７１の下端部には、その円弧形状に沿うように、左右方向外側に向かって延びるブラック支持部７２が形成されている。ブラック支持部７２は、両側板５２と一体的に形成されており、ドラムカップリング部３５およびドラム支持部材（図示せず）の左右方向端部を下方から支持する。
【００６６】
また、両側板５２には、そのカラー装着部６３に対応する部分の下端部において、フレーム側壁５３の各ドラム支持溝５６に対応する位置に、側面視円形のドラム保持穴７３が、３つ、形成されている。
ブラック支持穴７１およびドラム保持穴７３は、前後方向に沿って略等間隔を隔てて並列配置されており、ドラムカップリングカバー３８およびドラム支持部材（図示せず）を受け入れ可能に形成されている。
【００６７】
また、両側板５２には、各プロセスユニット１３のストッパ３３を受け入れるストッパ嵌合穴７４が形成されている。
ストッパ嵌合穴７４は、前後方向に等間隔を隔てて、４つ、形成されている。最前方のストッパ嵌合穴７４は、ブラックプロセスユニット１３Ｋのストッパ３３に対応し、両側板５２の下端部から屈曲部にわたって側面視矩形状に切欠かれている。残りのストッパ嵌合穴７４は、ブラック以外のプロセスユニット１３に対応し、側面視において前後方向に延びる長穴である。
【００６８】
また、両側板５２は、その上部において、左右方向外側に向かって突出する突出部７５と、その下端縁において前後方向に沿って延びるレール部７６とを備えている。
突出部７５は、本体ケーシング２の揺動レバー８３（後述）とともに接離機構を構成し、両側板５２の後端部において、上端部に配置され、円柱形状に形成されている。
レール部７６は、両側板５２の下端縁から連続して左右方向内方に向かって突出するように、形成されている。また、レール部７６の前端部は、前方に向かうに従って上方に傾斜するように、屈曲されている。
【００６９】
また、左側側板５２Ｌには、現像ガイド溝３２に対向する位置に、右側側板５２Ｒには、電極３９に対向する位置に切欠部７８が形成されている。
左側側板５２Ｌの切欠部７７は、現像ローラ２０の外周面に対応するように、上方が開放された側面視Ｕ字状に形成されており、右側側板５２Ｒの切欠部７８は、側面視において全ての電極３９を露出するような前後方向長さを有する側面視略矩形状に形成されている。
（３）プロセスフレームへのプロセスユニットの組み付け
プロセスユニット１３をプロセスフレーム１２に組み付けるには、まず、イエロープロセスユニット１３Ｙ、マゼンタプロセスユニット１３Ｍおよびシアンプロセスユニット１３Ｃのブラック以外のプロセスユニット１３を、ユニット支持枠５１のカラー装着部６３に組み付ける。
【００７０】
それらブラック以外のプロセスユニット１３をカラー装着部６３に組み付けるには、プロセスユニット１３のユニット把持部４０を把持して、プロセスユニット１３の前端部および後端部が仕切り板５９に沿うように、かつ、ドラムカップリング部３５がドラム支持溝５６に嵌合するように、位置を合わせて、上方からプロセスユニット１３をカラー装着部６３へ挿入する。
【００７１】
すると、プロセスユニット１３の両ユニット側壁３１の下端部が、両フレーム側壁５３のユニット支持レール６５に当接して、プロセスユニット１３がカラー装着部６３に配置される。
そして、ブラック以外のプロセスユニット１３をカラー装着部６３に順次配置した後、プロセスフレーム１２に左右の側板５２を組み付ける。
【００７２】
プロセスフレーム１２に左右の側板５２を組み付けるには、ブラック以外のプロセスユニット１３のドラムカップリング部３５またはドラム支持部材（図示せず）が、側板５２のドラム保持穴７３に嵌合されるように、かつ、ユニット支持枠５１のドラム支持溝５６が、左右方向に投影したときに、側板５２のブラック支持穴７１と重なるように、側板５２をユニット支持枠５１に対して位置決めし、組み付ける。
【００７３】
すると、図４に示すように、ブラック以外のプロセスユニット１３がプロセスフレーム１２に対して着脱不能に支持される。これにより、ブラック以外のプロセスユニット１３に備えられる感光体ドラム１６は、側板５２の間において、側板５２に対して回転自在かつ着脱不能に支持される。すなわち、ブラック以外のプロセスユニット１３に備えられる感光体ドラム１６は、プロセスフレーム１２に固定される。
【００７４】
また、各プロセスユニット１３のストッパ３３は、対応するストッパ嵌合穴７４に対して、左右方向内側から外側に向かって挿通される。
また、左側側板５２Ｌの切欠部７７は、プロセスユニット１３の現像カップリング部４３と左右方向において対向している。また、右側側板５２Ｒの切欠部７８は、プロセスユニット１３の電極３９と左右方向において対向している。これにより、現像カップリング部４３および電極３９は、左右方向において、露出される。
【００７５】
次いで、ブラックプロセスユニット１３Ｋを、ブラック装着部６２に装着する。
ブラックプロセスユニット１３Ｋを、ブラック装着部６２に装着するには、図５に示すように、ブラック以外のプロセスユニット１３を、カラー装着部６３に配置したのと同様にして装着する。すなわち、ブラックプロセスユニット１３Ｋの前端部がフロントビーム５４に、後端部がブラック仕切り板６１に沿うように、かつ、ドラムカップリング部３５がブラック支持穴７１に、ストッパ３３がストッパ嵌合穴７４に嵌合するように、位置を合わせて（図６参照）、上方からブラックプロセスユニット１３Ｋをブラック装着部６２へ挿入する。
【００７６】
すると、ブラック支持穴７１およびストッパ嵌合穴７４は、上方が開放されているので、ブラックプロセスユニット１３Ｋは、プロセスフレーム１２に対して着脱自在に支持される。これにより、ブラックプロセスユニット１３Ｋに備えられる感光体ドラム１６は、側板５２の間において、側板５２に対して回転自在かつ着脱自在に支持される。すなわち、ブラックプロセスユニット１３Ｋに備えられる感光体ドラム１６は、プロセスフレーム１２に対して着脱自在に設けられる。
【００７７】
これにより、各プロセスユニット１３のプロセスフレーム１２への組み付けおよび装着が完了される。
３．本体ケーシングの詳細
図７は、プロセスフレームが脱離された状態の本体ケーシングを示す斜視図である。図８は、図７に示される本体ケーシングの内部を説明するための説明図である。図１３は、プロセスフレームの装着が完了した状態を示す底面図である。
【００７８】
本体ケーシング２は、図７および図８に示すように、搬送ベルト２４を挟んで対向配置される左右１対のケーシング側壁８１、両ケーシング側壁８１間に架設される位置決め部の一例としての基準軸８２、両ケーシング側壁８１にわたって設けられる当接部材の一例としての揺動レバー８３、押圧部材１０３、および、左側ケーシング側壁８１Ｌの左側に配置される進退機構の一例としての直動カム機構８４を備えている。
【００７９】
両ケーシング側壁８１は、図８に示すように、それぞれ、フレーム支持部８５とブラック位置決め板８６を備えている。また、両ケーシング側壁８１には、フレームガイド溝８７が形成されている。
フレーム支持部８５は、両ケーシング側壁８１の下端部において、左右方向内面から左右方向内側に向かって膨出するように、前後方向に沿ってそれぞれ設けられている。また、フレーム支持部８５の前端部には、上方に向かって膨出する側断面視円弧形状の膨出部８８が形成されている。
【００８０】
ブラック位置決め板８６は、膨出部８８の後方において、フレーム支持部８５の上面から上方に向かって突出する側面視略矩形状の平板である。また、ブラック位置決め板８６の上端部は、上端縁から下方に向かって、上方が開放される側面視Ｖ字状に切欠かれている。ブラック位置決め板８６は、プロセスフレーム１２が本体ケーシング２に装着されたときに、側板５２のブラック支持部７２を受け入れ可能な位置に配置されている（図６参照）。
【００８１】
フレームガイド溝８７は、両ケーシング側壁８１の上下方向略中央において、前後方向に沿って延び、プロセスフレーム１２の突出部７５を受け入れ可能に形成されている。
また、フレームガイド溝８７の前端部には、側面視略クランク形状の段部１０８が形成されている。フレームガイド溝８７の後端部には、フレームガイド溝８７よりも上下方向に幅広な揺動ガイド溝８９が形成されている。
【００８２】
揺動ガイド溝８９は、側面視矩形状に形成されており、後で詳述するが、プロセスフレーム１２が本体ケーシング２に装着されるときには、突出部７５を受け入れて、プロセスフレーム１２が揺動されるときには、突出部７５の上下方向における移動を案内する。これにより、プロセスフレーム１２の揺動範囲を制限する。
また、両ケーシング側壁８１には、図７および図８に示すように、現像カップリング部４３または電極３９に対応する位置において、貫通穴９０が形成されている。左側ケーシング側壁８１Ｌの貫通穴９０は、現像カップリング部４３の形状に対応して、側面視円形に形成されており、右側ケーシング側壁８１Ｒの貫通穴９０は、全ての電極３９を露出するような大きさの側面視矩形状に形成されている。
【００８３】
基準軸８２は、金属などから棒状に形成されており、両ケーシング側壁８１の後端部下方において架設されている。基準軸８２には、プロセスフレーム１２の本体ケーシング２への装着が完了したときに、プロセスフレーム１２の後端部の下端面が当接する。
揺動レバー８３は、プロセスフレーム１２の突出部７５とともに接離機構を構成し、揺動軸９１と、揺動軸９１の両端部に、それぞれ相対回転不能に連結される１対のレバー部材９２とを備えている。
【００８４】
揺動軸９１は、アーム状に形成されており、両ケーシング側壁８１の後端部において、上下方向略中央に配置されている。また、揺動軸９１の両端部は、両ケーシング側壁８１に貫通形成されている挿通穴９３に回転自在に挿通され、両ケーシング側壁８１よりも左右方向外側に突出している。
レバー部材９２は、棒状に形成されており、両ケーシング側壁８１の左右方向外側において、その後端部が揺動軸９１に連結されている。これにより、レバー部材９２の前端部は、揺動軸９１を支点として、左右方向と直交する上下方向に揺動する。
【００８５】
押圧部材１０３は、図８に示すように、両ケーシング側壁８１の内側において、１対として設けられ、本体ケーシング２に支持されているリブ１０４、上下方向にスライド可能な押圧突起１０５、および、リブ１０４と押圧突起１０５との間に配置される圧縮ばね１０６とを備えている。
リブ１０４は、ブラック位置決め板８６の上方やや前方に配置されており、図示しない支持フレームにより本体ケーシング２に対して位置固定されている。
【００８６】
押圧突起１０５は、リブ１０４と間隔を隔てて、リブ１０４の真下に配置されている。押圧突起１０５は、プロセスフレーム１２が本体ケーシング２に装着されたときに、プロセスユニット１３の突条３４を上方から押圧するように、配置されている。
直動カム機構８４は、左側ケーシング側壁８１Ｌの外面に配置され、往復移動部材の一例としての直動カム９４と、各感光体ドラム１６に対して駆動を伝達する４つの駆動伝達ギヤ部９５とを備えている。
【００８７】
直動カム９４は、側面視略矩形状の平板から形成されている。直動カム９４は、後で詳述するが、前後方向に移動可能である。
また、直動カム９４の上端縁には、その後端部において、上方に向かって突出する側面視略三角形状の凸部１０７が形成されている。
凸部１０７は、その上端部が水平に形成されており、揺動レバー８３のレバー部材９２が、凸部１０７の上端部と当接したときには、レバー部材９２を上方に押し上げるように、配置されている。
【００８８】
また、直動カム９４には、図１３に示すように、前後方向に沿って延び、プロセスフレーム１２の前後方向長さとほぼ同等の前後方向長さを有する長穴が形成されており、その長穴を取り囲むように、長穴の周縁から左方に向かって突出する筒部９６が一体的に形成されている。
筒部９６には、各駆動伝達ギヤ部９５に対応して、筒部９６の左端縁から左方に向かって突出する４つの退避部９７と、退避部９７の後方において傾斜部９８とが連続して一体的に形成されている。
【００８９】
退避部９７は、最も前方の退避部９７（ブラックプロセスユニット１３Ｋに対応）の前後方向長さが、他の３つの退避部９７よりも短く形成されている。
傾斜部９８は、退避部９７の後端部から後方へ向かうに従って次第に突出長さが短くなるように形成されている。
駆動伝達ギヤ部９５は、ギヤ９９、シャフト１００、カップリング部材の一例としてのドラムカップリング雄部材１０１とを備えている。
【００９０】
ギヤ９９には、本体ケーシング２に設けられる図示しないモータからの駆動力が入力される。
シャフト１００は、ギヤ９９と一体的に形成され、ギヤ９９から、右方に向かって突出している。
ドラムカップリング雄部材１０１は、その右端部が、ドラムカップリング雌部材３７に対して、連結可能に形成されており、その左端部が、シャフト１００を相対回転不能に受入可能な筒状に形成されている。また、ドラムカップリング雄部材１０１の左端縁には、筒部９６の上下方向長さよりも大径なフランジ部１０２が形成されている。
【００９１】
また、ギヤ９９とフランジ部１０２との間には、図示しない圧縮ばねが装着されている。これにより、ドラムカップリング雄部材１０１は、右方に向かって付勢される。
４．プロセスフレームの装着
図９は、プロセスフレームを本体ケーシングに装着する装着動作を示す斜視図であって、プロセスフレームの突出部が、フレームガイド溝の段部に位置した状態を示す。図１０は、図９に続くプロセスフレームの装着動作を示す斜視図であって、プロセスフレームの後端部を持ち上げた状態を示す。図１１は、図１０に示される本体ケーシングの内部を説明する説明図である。図１２は、図１０に続くプロセスフレームの装着動作を示す斜視図であって、プロセスフレームの装着が完了した状態を示す。
【００９２】
プロセスフレーム１２を本体ケーシング２に装着するには、まず、プロセスフレーム１２の第１フレーム把持部５７および第２フレーム把持部５８を把持し、プロセスフレーム１２の突出部７５を、本体ケーシング２のフレームガイド溝８７の前端部に対して、前側から嵌合させる。そして、第１フレーム把持部５７を把持して、プロセスフレーム１２を、後方に向かって押し込む。
【００９３】
すると、図９に示すように、突出部７５は、フレームガイド溝８７に案内され、フレームガイド溝８７の段部１０８に当接する。
このとき、プロセスフレーム１２は、後端部が前端部よりも下方に位置するように斜めになっており、その下端縁のレール部７６は、本体ケーシング２の外部に配置されている。
【００９４】
次いで、第１フレーム把持部５７を把持したまま、第２フレーム把持部５８を把持し、第２フレーム把持部５８を上方へ持ち上げる。
すると、図１０に示すように、突出部７５は、フレームガイド溝８７の段部１０８を上方に向かって移動する。
そして、プロセスフレーム１２を水平にすると、プロセスフレーム１２の下端部の後端部が本体ケーシング２内に挿入される。
【００９５】
このとき、図１１に示すように、プロセスフレーム１２のレール部７６が本体ケーシング２の膨出部８８に当接し、プロセスフレーム１２の後端部は、膨出部８８によって下方から支持される。
次いで、プロセスフレーム１２をさらに後方に向かって押し込む。すると、突出部７５がフレームガイド溝８７に沿って後方に向かって案内される。
【００９６】
そして、図１２に示すように、突出部７５が揺動ガイド溝８９内に配置されると、プロセスフレーム１２の装着が完了される。
５．プロセス部の動作
図１４は、図１２に示される本体ケーシングの内部を説明する説明図である。図１５は、図１２に対応し、（ａ）は、左側断面図、（ｂ）は、左側面図である。図１６は、直動カムが第２位置に配置された状態を示す斜視図である。図１７は、図１６に対応する底面図である。図１８は、図１６に示される本体ケーシングの内部を説明する説明図である。図１９は、図１６に対応し、（ａ）は、左側断面図、（ｂ）は、左側面図である。図２０は、直動カムが第３位置に配置された状態を示す斜視図である。図２１は、図２０に対応する底面図である。図２２は、図２０に示される本体ケーシングの内部を説明する説明図である。
【００９７】
プロセスフレーム１２の本体ケーシング２への装着が完了されたときには、図１２に示すように、突出部７５は、揺動ガイド溝８９の下端縁に配置され、両ケーシング側壁８１よりも左右方向外側に突出している。また、このとき、直動カム９４は、ドラム着脱位置である第１位置に配置されており、凸部１０７は、レバー部材９２の後方に配置されている。
【００９８】
また、ドラムカップリング部３５は、左右方向において、直動カム９４の筒部９６と対向している。これにより、ドラムカップリング部３５は、左右方向において、筒部９６から露出している。
また、現像カップリング部４３は、左右方向において、左側ケーシング側壁８１Ｌの貫通穴９０と対向している。これにより、現像カップリング部４３は、左右方向において、貫通穴９０から露出している。なお、図示しないカップリング雄部材が貫通穴９０に挿通され、現像カップリング雌部材４４に連結されることにより、現像カップリング部４３に駆動が伝達される。
【００９９】
また、電極３９は、左右方向において、右側ケーシング側壁８１Ｒの貫通穴９０と対向している。これにより、電極３９は、左右方向において、貫通穴９０から露出している。
また、図１３に示すように、全てのドラムカップリング雄部材１０１のフランジ部１０２は、直動カム９４の退避部９７と当接し、全てのドラムカップリング雄部材１０１は、左方に退避している。すなわち、直動カム９４は、全ての感光体ドラム１６のドラムカップリング雌部材３７と、全てのドラムカップリング雄部材１０１との連結を解除している。
【０１００】
また、図１４に示すように、レール部７６は、膨出部８８との当接が解除されている。また、ブラック支持部７２は、ブラック位置決め板８６に当接し、ブラック位置決め板８６によって、下方から支持されている。また、プロセスフレーム１２の後端部は基準軸８２と当接し、基準軸８２によって、下方から支持されている。これにより、プロセスフレーム１２は、本体ケーシング２内において、水平に配置されている。
【０１０１】
そして、図１５（ａ）に示すように、全ての感光体ドラム１６は、搬送ベルト２４に接触している。
また、図１５（ｂ）に示すように、押圧部材１０３の押圧突起１０５は、上方から突条３４に当接し、下方に向かって突条３４を押圧している。詳しくは、押圧部材１０３は、感光体ドラム１６とストッパ３３との間に向かって、両ユニット側壁３１およびドラム仕切壁４１を押圧している。
【０１０２】
また、レール部７６は、上下方向において、フレーム支持部８５と間隔を隔てて対向配置されている。
これにより、カラーレーザプリンタ１は、感光体ドラム１６を本体ケーシング２に対して着脱可能なドラム着脱モードになっている。
次いで、直動カム９４が前方に移動すると、図１２および図１６に示すように、レバー部材９２は、凸部１０７に当接し、凸部１０７の前側の斜面に沿って上方に向かって揺動される。そして、レバー部材９２が揺動すると、レバー部材９２の上端縁は、突出部７５に下方から当接し、レバー部材９２は、突出部７５を上方に持ち上げる。
【０１０３】
また、同時に、図１３および図１７に示すように、ブラックプロセスユニット１３Ｋに対応するドラムカップリング雄部材１０１のフランジ部１０２は、筒部９６の退避部９７との当接が解除され、傾斜部９８の傾斜に沿って、右方へ進出する。
そして、直動カム９４が、モノクロ画像形成位置である第２位置に配置されると、図１６に示すように、レバー部材９２の前端部は、凸部１０７の上端部と当接する。そして、このとき、レバー部材９２は、突出部７５を、揺動ガイド溝８９の上端部まで持ち上げている。
【０１０４】
これにより、図１８および図１９（ｂ）に示すように、プロセスフレーム１２は、ブラックプロセスユニット１３Ｋの感光体ドラム１６の軸心を支点として、その後端部が上方に揺動される。
そして、図１９（ａ）に示すように、ブラックプロセスユニット１３Ｋの感光体ドラム１６は、搬送ベルト２４と接触しており、ブラック以外のプロセスユニット１３の感光体ドラム１６は、搬送ベルト２４と上下方向に対向するように、搬送ベルト２４から離間している。
【０１０５】
また、このとき、図１７に示すように、ブラックプロセスユニット１３Ｋに対応するドラムカップリング雄部材１０１は、ブラックプロセスユニット１３Ｋのドラムカップリング雌部材３７と中心軸線を共有するように連結される。そして、ブラック以外のプロセスユニット１３に対応するドラムカップリング雄部材１０１は、左方に退避しており、それぞれ、ドラムカップリング雌部材３７との連結が解除されている。
【０１０６】
これにより、カラーレーザプリンタ１は、モノクロ画像を形成するモノクロモードになる。
そして、モノクロモードにおいて、各ギヤ９９に駆動力が入力されると、ブラックの感光体ドラム１６には、駆動が伝達され、ブラック以外の感光体ドラム１６には駆動が伝達されないので、黒色の画像を形成することができる。なお、このとき、ブラック以外の感光体ドラム１６に対応するドラムカップリング雄部材１０１は、感光体ドラム１６との連結を解除されたまま回転している。
【０１０７】
次いで、直動カム９４がさらに前方に移動すると、図１６および図２０に示すように、レバー部材９２は、凸部１０７の後側の斜面に沿って下方に向かって揺動される。そして、レバー部材９２が下方に揺動すると、それに伴い、突出部７５が下方に向かって移動する。
また、同時に、図１７および図２１に示すように、全てのドラムカップリング雄部材１０１のフランジ部１０２は、筒部９６の退避部９７との当接が解除され、傾斜部９８の傾斜に沿って、右方へ進出する。
【０１０８】
そして、直動カム９４がカラー画像形成位置である第３位置に配置されると、図２０に示すように、レバー部材９２の前端部は、凸部１０７との当接を解除される。そして、このとき、突出部７５は、再び、揺動ガイド溝８９の下端部に配置される。
これにより、図２２に示すように、プロセスフレーム１２の後端部は、再び、基準軸８２と当接し、プロセスフレーム１２は、水平に配置される。そして、このとき、ドラム着脱モードと同様に、全ての感光体ドラム１６は、搬送ベルト２４に接触している。
【０１０９】
また、このとき、図２１に示すように、全てのドラムカップリング雄部材１０１は、対応するドラムカップリング雌部材３７と中心軸線を共有するように連結されている。
これにより、カラーレーザプリンタ１は、カラー画像を形成するカラーモードになる。
そして、カラーモードにおいて、各ギヤ９９に駆動力が入力されると、全ての感光体ドラム１６に駆動が伝達され、カラー画像を形成することができる。
６．作用効果
（１）このカラーレーザプリンタ１によれば、図５に示すように、４つの感光体ドラム１６を備え、各感光体ドラム１６は、ブラック以外のプロセスユニット１３に備えられる感光体ドラム１６がプロセスフレーム１２に固定され、ブラックプロセスユニット１３Ｋに備えられる感光体ドラム１６がプロセスフレーム１２に対して着脱自在に設けられている。
【０１１０】
そのため、ブラック以外の感光体ドラム１６をプロセスフレーム１２に固定したまま、ブラックの感光体ドラム１６を着脱し、交換することができる。
その結果、ブラック以外の感光体ドラム１６の使用頻度が低く、ブラックの感光体ドラム１６の使用頻度が高い場合には、使用頻度の低いブラック以外の感光体ドラム１６の相対配置を維持しつつ、使用頻度の高いブラックの感光体ドラム１６を効率よくメンテナンスすることができる。
【０１１１】
従って、精度のよい画像形成を確保しつつ、使用頻度に応じて、効率よく感光体ドラム１６をメンテナンスすることができる。
（２）また、このカラーレーザプリンタ１によれば、図５に示すように、ブラック以外の感光体ドラム１６は、プロセスフレーム１２の両側板５２の間において、着脱不能に支持されている。
【０１１２】
そのため、ブラック以外の感光体ドラム１６は、隣接する感光体ドラム１６の間の間隔を、より一層精度よく保つことができる。
（３）また、このカラーレーザプリンタ１によれば、図５に示すように、ブラックの感光体ドラム１６は、プロセスフレーム１２の両側板５２の間において、着脱自在に支持されている。
【０１１３】
そのため、ブラックの感光体ドラム１６は、隣接する感光体ドラム１６の間の間隔を精度よく保ちながら、着脱することができる。
（４）また、このカラーレーザプリンタ１によれば、図１に示すように、ブラックの感光体ドラム１６は、プロセスフレーム１２の前側に設けられている。
そのため、プロセスフレーム１２を前側から着脱するときに、ブラックの感光体ドラム１６は、手前側に配置される。
【０１１４】
その結果、プロセスフレーム１２からブラックの感光体ドラム１６を取り外しやすくなり、交換作業の容易化を図ることができる。
（５）また、このカラーレーザプリンタ１によれば、図１９に示すように、前端部にブラックの感光体ドラム１６を備えるプロセスフレーム１２を、ブラックの感光体ドラム１６の軸心を支点として、その後端部を上方に揺動させることにより、ブラック以外の感光体ドラム１６を、搬送ベルト２４から離間することができる。
【０１１５】
そのため、プロセスフレーム１２に備えられるブラック以外の感光体ドラム１６を、全ての感光体ドラム１６の相対配置を維持しながら、一体的に離間することができる。
その結果、隣接する感光体ドラム１６との間の間隔を保ちながら、ブラック以外の感光体ドラム１６を、搬送ベルト２４から離間させることができる。
従って、感光体ドラム１６の劣化を適切に防止することができつつ、精度のよい画像形成を確保することができる。
（６）また、このカラーレーザプリンタ１によれば、前後方向に沿って、プロセスフレーム１２をスライドさせることができる。
【０１１６】
そのため、４つの感光体ドラム１６を一体的に操作することができる。
（７）また、このカラーレーザプリンタ１によれば、図１４に示すように、プロセスフレーム１２の後側に、プロセスフレーム１２を揺動させるための揺動レバー８３および突出部７５（接離機構）が配置されている。
そのため、プロセスフレーム１２の後端部に対して容易に接離機構を作用させることができる。
【０１１７】
その結果、プロセスフレーム１２を容易に揺動させることができる。
（８）具体的には、このカラーレーザプリンタ１によれば、図１９に示すように、左右方向と直交する方向に揺動可能な揺動レバー８３が、プロセスフレーム１２の後端部において、左右方向外側に向かって突出する突出部７５に、当接し、揺動することにより、プロセスフレーム１２を揺動させることができる。
【０１１８】
そのため、簡易な接離機構でプロセスフレーム１２を揺動させることができる。
（９）また、このカラーレーザプリンタ１によれば、図１５に示すように、各感光体ドラム１６が全て搬送ベルト２４に接触しているときには、プロセスフレーム１２の後端部は、基準軸８２に当接する。これにより、プロセスフレーム１２は、搬送ベルト２４に対して、位置決めされる。
【０１１９】
その結果、各感光体ドラム１６が搬送ベルト２４に対して位置決めされ、各感光体ドラム１６と搬送ベルト２４との確実かつ適切な接触を確保することができる。
（１０）また、このカラーレーザプリンタ１によれば、押圧部材１０３は、図１５に示すように、ユニット側壁３１の円弧形状の突条３４を押圧する。そして、突条３４は、図６に示すように、感光体ドラム１６と中心軸線を共有する。
【０１２０】
そのため、押圧部材１０３が突条３４を押圧すると、その中心軸線に向かう押圧力は、常に感光体ドラム１６へと作用する。
その結果、プロセスフレーム１２を揺動させることによって、押圧部材１０３と突条３４とが当接する位置が変動したとしても、押圧力を常に感光体ドラム１６に向かって作用させることができる。
（１１）具体的には、このカラーレーザプリンタ１によれば、押圧部材１０３は、図１５に示すように、ブラックの感光体ドラム１６と、ブラックの感光体ドラム１６と間隔を隔てて配置されるストッパ３３との間に向かってユニット側壁３１を押圧する。
【０１２１】
そのため、押圧部材１０３は、感光体ドラム１６とストッパ３３との両方に押圧力を作用させることができる。
その結果、プロセスフレーム１２を揺動させたときにも、常に感光体ドラム１６を位置固定することができる。
（１２）また、このカラーレーザプリンタ１によれば、カラーモードでは、各ドラムカップリング雄部材１０１は、各感光体ドラム１６に対応して各感光体ドラム１６と軸心を共有するように、それぞれ連結されている。
【０１２２】
そのため、感光体ドラム１６には、軸心を共有するドラムカップリング雄部材１０１によって、駆動力が入力される。
その結果、ドラムカップリング雄部材１０１から感光体ドラム１６へ精度よく駆動力を伝達することができる。
また、モノクロモードにおいて、ブラック以外の感光体ドラム１６が搬送ベルト２４から離間されるときには、その連結が解除される。
【０１２３】
そのため、ブラック以外の感光体ドラム１６とドラムカップリング雄部材１０１との連結が解除されたときには、ドラムカップリング雄部材１０１が回転している状態であっても、搬送ベルト２４から離間される感光体ドラム１６を停止させることができる。
その結果、感光体ドラム１６とドラムカップリング雄部材１０１とを連結または連結解除するという簡単な構成で、直動カム機構８４を備えることができる。
（１３）また、このカラーレーザプリンタ１によれば、感光体ドラム１６を本体ケーシング２に対して着脱するドラム着脱モードをさらに有する。
【０１２４】
そのため、画像を形成するモード（カラーモードおよびモノクロモード）とは別のドラム着脱モードにおいて、感光体ドラム１６を備えるプロセスフレーム１２を着脱することができる。
その結果、画像形成動作が停止された状態で、プロセスフレーム１２を着脱することができる。
（１４）また、このカラーレーザプリンタ１によれば、直動カム機構８４に備えられる直動カム９４は、ドラム着脱モードに対応する第１位置と、モノクロモードに対応する第２位置と、カラーモードに対応する第３位置とにスライドする。
【０１２５】
そのため、直動カム９４をスライドするという簡易な動作により、各モードを切り替えることができる。
（１５）また、このプリンタによれば、直動カム９４を第１位置に配置させることにより、全ての感光体ドラム１６と全てのドラムカップリング雄部材１０１との連結を解除させるとともに、全ての感光体ドラム１６を搬送ベルト２４に接触させることができる。
【０１２６】
これにより、全ての感光体ドラム１６が停止された状態で、プロセスフレーム１２を着脱することができる。
また、直動カム９４を第２位置に配置させることにより、ブラックの感光体ドラム１６と、対応するドラムカップリング雄部材１０１とを連結させ、ブラック以外の感光体ドラム１６と、対応するドラムカップリング雄部材１０１との連結を解除させるとともに、ブラックの感光体ドラム１６を、搬送ベルト２４に接触させながら、ブラック以外の感光体ドラム１６を、搬送ベルト２４から離間させることができる。
【０１２７】
これにより、搬送ベルト２４に接触されるブラックの感光体ドラム１６を画像形成可能にしながら、搬送ベルト２４から離間されるブラック以外の感光体ドラム１６を停止させることができる。
また、直動カム９４を第３位置に配置させることにより、全ての感光体ドラム１６と全てのドラムカップリング雄部材１０１とを連結させながら、全ての感光体ドラム１６を、搬送ベルト２４に接触させることができる。
【０１２８】
これにより、全ての感光体ドラム１６を画像形成可能にすることができる。
すなわち、直動カム９４は、第１位置、第２位置または第３位置のいずれかに配置されることにより、直動カム９４による各感光体ドラム１６と各ドラムカップリング雄部材１０１との連結または連結解除と、接離機構（揺動レバー８３および突出部７５）による各感光体ドラム１６と搬送ベルト２４との接触または離間とを連動させることができる。
【０１２９】
その結果、直動カム９４は、簡易な構成で、直動カム機構８４と接離機構とを連動させることができる。
（１６）また、このカラーレーザプリンタ１によれば、直動カム機構８４が第１位置に配置されると、揺動レバー８３と凸部１０７の上端部との当接が解除される。そのため、揺動レバー８３は、上方に揺動されない。その結果、感光体ドラム１６は、搬送ベルト２４から離間されない。
【０１３０】
そして、直動カム９４が第２位置に配置されると、揺動レバー８３は、凸部１０７の上端部と当接する。そのため、揺動レバー８３は、凸部１０７の上端部からの応力を受け、上方に揺動する。すると、感光体ドラム１６は、搬送ベルト２４から離間される。
そして、直動カム９４が第３位置に配置されると、上記第１位置の場合と同様に、揺動レバー８３と凸部１０７の上端部との当接が解除される。そのため、揺動レバー８３は上方に揺動されない。その結果、感光体ドラム１６は、搬送ベルト２４から離間されない。
【０１３１】
すなわち、直動カム９４が第１位置、第２位置または第３位置のいずれかに配置されることにより、揺動レバー８３と、直動カム９４の凸部１０７の上端部とが当接または当接解除され、揺動レバー８３と、凸部１０７の上端部とが当接すると揺動レバー８３が揺動する。
そして、揺動レバー８３が揺動したときのみ、感光体ドラム１６を搬送ベルト２４から離間させることができる。
【０１３２】
その結果、直動カム９４の配置に応じて、感光体ドラム１６を搬送ベルト２４に対して接触または離間させることができる。
【図面の簡単な説明】
【０１３３】
【図１】本発明の画像形成装置の一例としてのカラーレーザプリンタの一実施形態を示す側断面図である。
【図２】図１に示されるプロセスフレームの斜視図である。
【図３】図２に示されるプロセスフレームの分解斜視図である。
【図４】プロセスフレームにカラーのドラムユニットが装着された状態を示す斜視図である。
【図５】図４に示されるプロセスフレームにブラックのプロセスカートリッジが装着される状態を示す斜視図である。
【図６】ブラックのプロセスカートリッジの位置決めを説明する説明図である。
【図７】プロセスフレームが脱離された状態の本体ケーシングを示す斜視図である。
【図８】図７に示される本体ケーシングの内部を説明するための説明図である。
【図９】プロセスフレームを本体ケーシングに装着する装着動作を示す斜視図であって、プロセスフレームの突出部が、フレームガイド溝の段部に位置した状態を示す。
【図１０】図９に続くプロセスフレームの装着動作を示す斜視図であって、プロセスフレームの後端部を持ち上げた状態を示す。
【図１１】図１０に示される本体ケーシングの内部を説明する説明図である。
【図１２】図１０に続くプロセスフレームの装着動作を示す斜視図であって、プロセスフレームの装着が完了した状態を示す。
【図１３】プロセスフレームの装着が完了した状態を示す底面図である。
【図１４】図１２に示される本体ケーシングの内部を説明する説明図である。
【図１５】図１２に対応し、（ａ）は、左側断面図、（ｂ）は、左側面図である。
【図１６】直動カムが第２位置に配置された状態を示す斜視図である。
【図１７】図１６に対応する底面図である。
【図１８】図１６に示される本体ケーシングの内部を説明する説明図である。
【図１９】図１６に対応し、（ａ）は、左側断面図、（ｂ）は、左側面図である。
【図２０】直動カムが第３位置に配置された状態を示す斜視図である。
【図２１】図２０に対応する底面図である。
【図２２】図２０に示される本体ケーシングの内部を説明する説明図である。
【符号の説明】
【０１３４】
１      カラーレーザプリンタ
２      本体ケーシング
１２    プロセスフレーム
１６    感光体ドラム
２４    搬送ベルト
３１    ユニット側壁
３３    ストッパ
３４    突条
４１    ドラム仕切壁
７４    ストッパ嵌合穴
７５    突出部
８２    基準軸
８３    揺動レバー
８４    直動カム機構
９４    直動カム
１０１  ドラムカップリング雄部材
１０３  押圧部材
１０７  凸部
【図１】
2010107889.tif 000003
【図２】
2010107889.tif 000004
【図３】
2010107889.tif 000005
【図４】
2010107889.tif 000006
【図５】
2010107889.tif 000007
【図６】
2010107889.tif 000008
【図７】
2010107889.tif 000009
【図８】
2010107889.tif 000010
【図９】
2010107889.tif 000011
【図１０】
2010107889.tif 000012
【図１１】
2010107889.tif 000013
【図１２】
2010107889.tif 000014
【図１３】
2010107889.tif 000015
【図１４】
2010107889.tif 000016
【図１５】
2010107889.tif 000017
【図１６】
2010107889.tif 000018
【図１７】
2010107889.tif 000019
【図１８】
2010107889.tif 000020
【図１９】
2010107889.tif 000021
【図２０】
2010107889.tif 000022
【図２１】
2010107889.tif 000023
【図２２】
2010107889.tif 000024